(57)【要約】      （修正有）【課題】ディスプレイを保護しつつ、開閉部分が特段通話の邪魔にもならない携帯端末用ケースを提供する。【解決手段】請求項１記載の考案は、側面にレール溝２１が設けられた箱状のケース２０と、レール溝２１に両側面を嵌め込んだ状態で摺動する板状の蓋部材３０と、蓋部材３０を付勢するバネ部材と、バネ部材により付勢された状態の蓋部材３０を保持するストッパ部材とにより構成した。請求項２記載の考案は、請求項１記載の携帯端末用ケースにおいて、蓋部材３０が、孔部３１と背面側に伸びる突片を備え、ストッパ部材が、孔部３１に嵌合可能な爪部を備えた板状のアーム部材であり、箱体がアーム部材を揺動可能に支持する支持体を備え、バネ部材を押しバネで構成した。【選択図】図１
0003213354.tif 000002
【実用新案登録請求の範囲】
【請求項１】
側面にレール溝が設けられた箱状のケースと、
レール溝に両側面を嵌め込んだ状態で摺動する板状の蓋部材と、
蓋部材を付勢するバネ部材と、
バネ部材により付勢された状態の蓋部材を保持するストッパ部材と、  
により成る携帯型端末用ケース。
【請求項２】
蓋部材が、孔部と背面側に伸びる突片を備えたこと、
ストッパ部材が、孔部に嵌合可能な爪部を備えた板状のアーム部材であること、
ケースが中底を備えると共に、ケース底面側にアーム部材を揺動可能に支持する箱体を備えたこと、
バネ部材が押しバネであること、
を特徴とする請求項１に記載の携帯型端末用ケース。
【請求項３】
箱体の両側壁に設けた孔部にアーム部材に設けた柱状体が緩挿されると共に、箱体内に収容された円柱状のボタンを押すことで、アーム部材が揺動するようにしたことを特徴とする請求項２に記載の携帯型端末用ケース。
【考案の詳細な説明】
【技術分野】
【０００１】
本考案は携帯型情報端末であるスマートフォン、その他の携帯端末を収容する為のケースに関し、より詳しくは開閉自在な蓋を備えた携帯型端末用ケースに関する。。
【背景技術】
【０００２】
図１３は汎用のスマートフォン用ケースを示すものである。図中（ａ）は正面図、（ｂ）は右側面図、（ｃ）は（ａ）のＡ−Ａ線断面図を示す。図中側縁２はスマートフォンの両側端部と上下端部に係止することで、スマートフォンがケースから外れないようにすることが出来る。スマートフォン用ケース１は樹脂製で、両側縁２，２は撓み変形してスマートフォンに係合することが出来るものである。
【０００３】
この他にも、スマートフォンの大型化に伴い、手帳型スマートフォンケースも汎用されている。
【０００４】
特許文献１には携帯端末の外周、上下面、左右の側面、及び背面を覆うように硬質の合成樹脂によって一体的に形成された端末ケースが開示されている。
【先行技術文献】
【特許文献】
【０００５】
【特許文献１】特開２０１３−２３５４６８号公報
【考案の開示】
【考案が解決しようとする課題】
【０００６】
図１３に示されるようなスマートフォン用ケースは、スマートフォンその他の携帯型端末のディスプレイが露出したままなので、カバンや服のポケットなどに収容していると、ディスプレイに擦傷が発生しやすい。
【０００７】
他方で手帳型のスマートフォンケースは、通話時などにケースを開く必要があり、当該開いた部分が折り曲げ部分を支点として揺れ動き、顔に接しがちである。そしてかかる事態は、通話の邪魔になりがちである。
【０００８】
そこで本考案はディスプレイを保護しつつ、開閉部分が特段通話の邪魔にもならない携帯端末用ケースを提供することを目的とする。
【課題を解決するための手段】
【０００９】
上記課題を解決する本考案の構成は、以下のとおりである。
【００１０】
（１）  請求項１記載の考案は、側面にレール溝が設けられた箱状のケースと、レール溝に両側面を嵌め込んだ状態で摺動する板状の蓋部材と、蓋部材を付勢するバネ部材と、バネ部材により付勢された状態の蓋部材を保持するストッパ部材とにより構成した。
【００１１】
（２）  請求項２記載の考案は、請求項１記載の携帯端末用ケースにおいて、蓋部材が、孔部と背面側に伸びる突片を備え、ストッパ部材が、孔部に嵌合可能な爪部を備えた板状のアーム部材であり、ケースが中底を備えると共に、ケース底面側にアーム部材を揺動可能に支持する箱体を備え、バネ部材を押しバネで構成した。
【００１２】
（３）  請求項３に記載の考案は、請求項２記載の携帯端末用ケースにおいて、箱体の両側壁に設けた孔部にアーム部材に設けた柱状体が緩挿されると共に、箱体内に収容された円柱状のボタンを押すことで、アーム部材が揺動するように構成した。
【考案の効果】
【００１３】
上記のように構成される本考案が、如何に作用して課題を解決するかを図面を参照しながら概説する。
【００１４】
図１は本考案にかかる携帯型端末用ケース１０にスマートフォン６０を収容し、且つ、蓋部材３０を開いた状態を表面から示しており、図２は同状態を裏面から示すものである。また、図３は本考案にかかる携帯型端末用ケース１０にスマートフォン６０を収容し、且つ、蓋部材３０を閉じた状態を表面から示しており、図４は同状態を裏面から示すものである。
【００１５】
本考案は、スマートフォンを６０を携帯型端末用ケース１０に収容し、蓋部材３０を閉じた状態で、図４に示されるボタン５３を押圧すると、蓋部材３０を保持していたストッパ部材によるロック状態が解除され、図１や図２に示される蓋部材３０が開いた状態に至るよう構成されている。
【００１６】
スマートフォンその他の携帯型端末を使用していない状態では、蓋部材３０を閉じておけばディスプレイが保護され、通話時その他の使用時においては、ボタン５３を押すだけで、バネ部材で付勢されている蓋部材３０が開くものであり、簡単な操作で蓋部材３０の開閉が可能となり、使い勝手に富むものとなる。
【００１７】
また、蓋部材３０はケース２０に設けたレール溝２１に沿って摺動するものであり、揺動運動は行わないことから、手帳型ケースの場合のように、蓋部材３０が使用者の顔に当接するようなこともなく、通話の邪魔になることもないものである。
【図面の簡単な説明】
【００１８】
【図１】蓋部材が開いた使用状態説明図
【図２】蓋部材が開いた使用状態説明図
【図３】蓋部材が閉じた使用状態説明図
【図４】蓋部材が閉じた使用状態説明図
【図５】蓋部材が開いた状態の正面図
【図６】蓋部材が開いた状態の左側面図
【図７】蓋部材が開いた状態の内部構造を示す概略説明図
【図８】蓋部材が閉じた状態の正面図
【図９】蓋部材が閉じた状態の左側面図
【図１０】蓋部材が閉じた状態の内部構造を示す概略説明図
【図１１】アーム部材、支持体、ボタンの概略構成図
【図１２】他の実施例を示す概略説明図
【図１３】汎用のスマートフォンケースの説明図
【考案を実施するための形態】
【００１９】
以下、好ましい本発明の構成要素の実施形態につき、図面を参照しながら概説する。なお、本発明構成要素の実施形態は、下記の実施形態に何ら限定されることはなく、本考案の技術的範囲に属する限り、種々の形態を採りうる。
【００２０】
図１乃至図４は請求項１乃至請求項３いずれかに記載の携帯型端末１０を示すものである。請求項１に記載の携帯型端末用ケース１０は、ケース２０内に収納されたバネ部材により蓋部材３０が付勢されている。バネ部材は押しバネでも引きバネでも構わないが、蓋部材３０が閉じた状態において、蓋部材３０に対して開く方向に付勢するよう構成されている。また、蓋部材３０が閉じた状態において、ストッパ部材により保持されるよう構成されている。
【００２１】
図５乃至図１０は請求項２又は請求項３に記載の携帯型端末１０を示すものである。なお、これら図面においてはケース２０内にスマートフォン６０を収容した状態を示している。
【００２２】
請求項２、請求項３に記載の携帯型端末用ケース１０は、ケース２０と蓋部材３０を主な構成要素とするものである。
【００２３】
ケース２０は天面が開放された箱状体であり、両側面に設けられたレール溝２１に沿って蓋部材３０を摺動自在に支持するものである。また、ケース２０は中板２２で区画されており、中板２２より天面側の空間にスマートフォン等の携帯型端末を収容するものである。
【００２４】
一方、中板２２より底面側の空間には、アーム部材５０が装備されるものである。アーム部材５０は図１１に示すように、板状部５１と該板状部５１の端縁から垂直方向に伸びる二本の棒材５２より成るものである。このアーム部材５０は、ケース２０の底面側に取り付けられた箱体５４内で揺動するものである。具体的には、箱体５４内の空洞部５５内にアーム部材５０は収容され、板状部５１に設けた柱状体５１ａが箱体５４の両側壁に設けた孔部５５に緩挿され、柱状体５１ａを揺動軸として揺動運動を行うものである。
【００２５】
箱体５４には円孔５６が設けられており、この円孔５６には直径の異なる二個の空洞が設けてあることから、段差５６ａが生じ、この段差５６ａによりボタン５３が支持される。このボタン５３を押すことでアーム部材５０が箱体５４内で揺動するものである。
【００２６】
アーム部材５０の揺動はボタン５３を押すことにより生じせしめる。すなわち、図１０に示すように、棒材５２が蓋部材３０の孔部３１に嵌まり込んだ状態でボタン５３を押せば、アーム部材５０は柱状体５１ａを支点として図中反時計回りに揺動する。すると棒材５２の孔部３１に対する嵌合が解放され、図７に示すような蓋部材３０の摺動が生じるものである。
【００２７】
なお、アーム部材や支持体の上記形態はむろん一例であり、アーム部材がケース２０に設けた支点を中心に揺動し、アーム部材による蓋部材に対するストッパ機能の解放が生じる形態であれば任意の形態を採用できる。
【００２８】
蓋部材３０は板状体であり、その両側縁３２，３２をケース２０のレール溝２１に嵌め込み、図１乃至図４に示すように摺動させるものである。また、その端部にはアーム部材５０が嵌まり込み、蓋部材３０によるケースを閉じた状態を維持するための孔部３１が設けられている。
【００２９】
図７や図１０に示すように蓋部材３０の端部には突片３３が設けられている。この突片３３はバネ部材４０により押圧され、蓋部材３０を摺動させるための役割を果たすものである。すなわち、ケース２０内にはバネ部材４０が装備されており、このバネ部材４０が突片３３に対し、蓋部材３０が開く方向へ付勢するものである。
【００３０】
なお、バネ部材４０を装備する位置は、図１２に示すようにケース２０の頂面側に設けても構わない。
【符号の説明】
【００３１】
１０・・携帯型端末ケース
２０・・ケース
２１・・レール溝
２２・・中板
２３・・支持体
３０・・蓋部材
３１・・孔部
３２・・側縁
３３・・突片
４０・・バネ部材
５０・・アーム部材
５１・・板状部
５１ａ・・柱状体
５２・・棒材
５３・・ボタン
５４・・箱体
５５・・孔部
５６・・円孔
６０・・スマートフォン
【図１】
0003213354.tif 000003
【図２】
0003213354.tif 000004
【図３】
0003213354.tif 000005
【図４】
0003213354.tif 000006
【図５】
0003213354.tif 000007
【図６】
0003213354.tif 000008
【図７】
0003213354.tif 000009
【図８】
0003213354.tif 000010
【図９】
0003213354.tif 000011
【図１０】
0003213354.tif 000012
【図１１】
0003213354.tif 000013
【図１２】
0003213354.tif 000014
【図１３】
0003213354.tif 000015
【手続補正書】
【提出日】平成29年8月24日(2017.8.24)
【手続補正１】
【補正対象書類名】図面
【補正対象項目名】図１
【補正方法】変更
【補正の内容】
【図１】
0003213354.tif 000016